(57)【要約】【課題】ホットスワップ非対応であっても通電状態でバッテリーの交換ができる外付けバッテリー取り付け治具、携帯型情報処理装置、及びプログラムを提供する。【解決手段】携帯型情報処理装置のバッテリー収納部に取り付け取り外しが可能、かつ、携帯型情報処理装置に給電可能な外付けバッテリーを取り付け取り外し可能な外付けバッテリー取り付け治具であって、携帯型情報処理装置に給電可能な補助バッテリーと、補助バッテリーよりも外付けバッテリーを優先して携帯型情報処理装置への給電元バッテリーとして選択するバッテリー選択手段と、を備えた。【選択図】図１
2014123241.tif 000002
【特許請求の範囲】
【請求項１】
携帯型情報処理装置のバッテリー収納部に取り付け取り外しが可能、かつ、前記携帯型情報処理装置に給電可能な外付けバッテリーを取り付け取り外し可能な外付けバッテリー取り付け治具であって、
前記携帯型情報処理装置に給電可能な補助バッテリーと、
前記補助バッテリーよりも前記外付けバッテリーを優先して前記携帯型情報処理装置への給電元バッテリーとして選択するバッテリー選択手段と、
を備えたことを特徴とする外付けバッテリー取り付け治具。
【請求項２】
前記バッテリー選択手段により前記携帯型情報処理装置への給電元バッテリーとして前記補助バッテリーが選択されたことを前記携帯型情報処理装置に通知する通知手段を備えたことを特徴とする請求項１記載の外付けバッテリー取り付け治具。
【請求項３】
前記補助バッテリーは、満充電時の電圧が前記外付けバッテリーの満充電時の電圧よりも低く、
前記バッテリー選択手段は、前記補助バッテリーと前記外付けバッテリーのうち、電圧の高いものを前記携帯型情報処理装置への給電元バッテリーとして選択することを特徴とする請求項１又は２記載の外付けバッテリー取り付け治具。
【請求項４】
バッテリー収納部に取り付けられる治具が備える補助バッテリーまたは前記治具に取り付けされる外付けバッテリーのうち、前記治具が備えるバッテリー選択手段によって給電元として選択されたものより給電されて動作する携帯型情報処理装置であって、
メッセージを表示可能な表示部と、
前記バッテリー選択手段によって給電元バッテリーとして前記補助バッテリーが選択されたことを治具から通知されると、前記補助バッテリーで動作していることを通知するメッセージを前記表示部に表示させるメッセージ表示手段と、
を備えたことを特徴とする携帯型情報処理装置。
【請求項５】
バッテリー収納部に取り付けられる治具が備える補助バッテリーまたは前記治具に取り付けされる外付けバッテリーのうち、前記治具が備えるバッテリー選択手段によって給電元として選択されたものより給電されて動作する携帯型情報処理装置を制御するプログラムであって、
実質的なコンピュータに、
表示部が、メッセージを表示する手順、
メッセージ表示手段が、前記バッテリー選択手段によって給電元バッテリーとして前記補助バッテリーが選択されたことを治具から通知されると、前記補助バッテリーで動作していることを通知するメッセージを前記表示部に表示させる手順、
を実行させることを特徴とするプログラム。
【発明の詳細な説明】
【技術分野】
【０００１】
本発明は、外付けバッテリー取り付け治具、携帯型情報処理装置、及びプログラムに関する。
【背景技術】
【０００２】
近年、情報処理技術の向上に伴い、パーソナルコンピュータ、ＰＤＡ（personal data assistant）等種々の情報処理装置が開発されてきた。
バッテリー駆動型の情報処理装置として、例えば、ノートパソコンが挙げられる。
この種のノートパソコンには通電状態のままバッテリー交換（ホットスワップもしくは活線挿抜とも言う）が可能なものが挙げられる（例えば、特許文献１参照。）。
【０００３】
特許文献１に記載の発明は、障害情報保持システムに関するものであり、具体的には、通常動作中、バッテリー実装用アダプタにはバッテリーが実装されておらず、パッケージは電源モデュールから電源供給されている。障害が発生し、パッケージの交換が必要となった場合、電源モデュールと同定格のバッテリーをバッテリー実装用アダプタに装着し、パッケージの給電部に給電した後、筐体電源はオンのままパッケージ３を引き抜く。パッケージは障害発生時の状態を保持しているので、例えばパッケージテスタに活線のまま装着することにより、そのまま障害解析作業に入れるものである。
【先行技術文献】
【特許文献】
【０００４】
【特許文献１】特開平６−３３５１７８号公報
【発明の概要】
【発明が解決しようとする課題】
【０００５】
しかしながら、上述した特許文献１に記載の発明は、通電状態でパッケージを交換することが可能なシステムに関して開示されているものの、ホットスワップ非対応の携帯型情報処理装置のバッテリーの交換については記載されていない。
【０００６】
そこで、本発明の目的は、ホットスワップ非対応であっても通電状態でバッテリーの交換ができる外付けバッテリー取り付け治具、携帯型情報処理装置、及びプログラムを提供することにある。
【課題を解決するための手段】
【０００７】
上記課題を解決するため、請求項１に記載の発明は、携帯型情報処理装置のバッテリー収納部に取り付け取り外しが可能、かつ、前記携帯型情報処理装置に給電可能な外付けバッテリーを取り付け取り外し可能な外付けバッテリー取り付け治具であって、前記携帯型情報処理装置に給電可能な補助バッテリーと、前記補助バッテリーよりも前記外付けバッテリーを優先して前記携帯型情報処理装置への給電元バッテリーとして選択するバッテリー選択手段と、を備えたことを特徴とする。
【発明の効果】
【０００８】
本発明によれば、ホットスワップ非対応であっても通電状態でバッテリーの交換ができる外付けバッテリー取り付け治具、携帯型情報処理装置、及びプログラムの提供を実現することができる。
【図面の簡単な説明】
【０００９】
【図１】（ａ）は、本実施形態に係る携帯型情報処理装置に用いられるバッテリーの一例を示す外観斜視図、（ｂ）は、（ａ）に示したバッテリーを本実施形態に係る携帯型情報処理装置に装着するための治具の一例を示す外観斜視図、（ｃ）は、（ａ）に示したバッテリーを（ｂ）に示した治具に装着した状態を示す図である。（ｄ）は、本実施形態に係る携帯型情報処理装置のバッテリー装着前の底面図であり、（ｅ）は、（ｃ）に示したバッテリー及び治具を（ｄ）に示した携帯型情報処理装置に装着した状態を示す図である。
【図２】図１に示したノートパソコン１−１のブロック図の一例である。
【図３】図１（ａ）〜（ｅ）に示したノートパソコン１−１の動作を説明するためのフローチャートの一例である。
【図４】ノートパソコン１−１のバッテリー交換の様子を示す説明図である。
【図５】ノートパソコン１−１のバッテリー交換の様子を示す説明図である。
【図６】ノートパソコン１−１のバッテリー交換の様子を示す説明図である。
【図７】ノートパソコン１−１のバッテリー交換の様子を示す説明図である。
【図８】バッテリーが無い状態で治具もしくはバッテリーを装着する場合の動作を説明するためのフローチャートの一例である。
【図９】バッテリー装着前のノートパソコン１−１に治具及びバッテリーを装着する場合の説明図である。
【図１０】バッテリー装着前のノートパソコン１−１に治具及びバッテリーを装着する場合の説明図である。
【図１１】バッテリー装着前のノートパソコン１−１に治具及びバッテリーを装着する場合の説明図である。
【図１２】バッテリー装着前のノートパソコン１−１に治具及びバッテリーを装着する場合の説明図である。
【図１３】（ａ）は、携帯型情報処理装置の変形例を示す底面図であり、（ｂ）は、（ａ）のバッテリー及び治具の拡大図である。（ｃ）は、携帯型情報処理装置の他の変形例を示す底面図であり、（ｄ）は、（ｃ）のバッテリー及び治具の拡大図である。
【発明を実施するための形態】
【００１０】
本実施形態について図面を参照して説明する。
［実施形態１］
実施形態１について説明する。
＜構  成＞
図１（ａ）は、本実施形態に係る携帯型情報処理装置に用いられるバッテリーの一例を示す外観斜視図であり、図１（ｂ）は、図１（ａ）に示したバッテリーを本実施形態に係る携帯型情報処理装置に装着するための治具の一例を示す外観斜視図である。図１（ｃ）は、図１（ａ）に示したバッテリーを図１（ｂ）に示した治具に装着した状態を示す図であり、図１（ｄ）は、本実施形態に係る携帯型情報処理装置のバッテリー装着前の底面図である。図１（ｅ）は、図１（ｃ）に示したバッテリー及び治具を図１（ｄ）に示した携帯型情報処理装置に装着した状態を示す図である。
以下、図１（ａ）〜（ｅ）に示した部材と同様の部材には共通の符号を用いた。
【００１１】
バッテリー（外付けバッテリーとも言う）６−１は、携帯型情報処理装置としてのノートパソコン１−１の本体部２の底面の凹部に形成されたバッテリー収納部４−１に、治具５−１を介してノートパソコン１−１の装置本体としての本体部２と電気的に接続するようになっている。すなわち、本体部２と治具５−１とは、本体側のコネクタＣ１ａと、治具側のコネクタＣ１ｂで接続され、治具５−１とバッテリー６−１とは、治具側のコネクタＣ２ａと、バッテリー側のコネクタＣ２ｂで接続される。
コネクタＣ１ａは、本体２の筐体と一体化され、コネクタＣ１ｂ、Ｃ２ａは、治具５−１の筐体と一体化され、コネクタＣ２ｂは、バッテリー６−１の筐体と一体化されている。
バッテリー内蔵治具としての治具５−１は、後述する補助バッテリーＢａを内蔵しており、コネクタＣ１ｂの他落下防止のための爪や突起（いずれも図示せず。）を有している。
治具５−１はバッテリー６−１とバッテリー収納部４−１との間の隙間をふさぐようなほぼコの字形状に形成されているが限定されるものではない。
治具５−１は、例えば補助バッテリーＢａ又はバッテリー本体Ｂｅの逆流防止用にダイオードのＯＲ（オア）回路を有する。尚、治具５−１には、装着したことをノートパソコン１−１に通知する通知手段５−１ｂが設けられているのが好ましい。例えば、通知手段５−１ｂとしては、例えば、治具５−１をノートパソコン１−１に装着するとＯＮとなるマイクロスイッチやフォトインタラプタが挙げられる。
【００１２】
本体部２は、後述するキーボード１０１、光学読み取り装置１０５、ＨＤＤ（Hard Disc Drive）１０６、制御部１０７、及びＩ／Ｏ（Input/Output）１１０を有する。３は、ノートパソコン１−１の蓋部であり、本体部２に対して開閉可能であり、表示装置１０４を有し、マウス１０２が接続可能である。
【００１３】
図２は、図１に示したノートパソコン１−１のブロック図の一例である。
ノートパソコン１−１は、キーボード１０１、マウス１０２、カメラ１０３、表示手段としての表示装置（例えば、液晶表示素子）１０４、光学読取装置１０５、ＨＤＤ１０６、制御手段としての制御部１０７、及びＩ／Ｏ１１０を有する。１１１はバスラインである。
治具５−１は、ノートパソコン１−１のバッテリー収納部４−１に取り付け取り外しが可能、かつ、ノートパソコン１−１に給電可能な外付けバッテリー６−１を取り付け取り外し可能な外付けバッテリー取り付け治具である。治具５−１は、ノートパソコン１−１に給電可能な補助バッテリーＢａと、バッテリー選択手段５−１ａと、を備える。
バッテリー選択手段５−１ａは、補助バッテリーＢａよりも外付けバッテリー６−１のバッテリー本体Ｂｅを優先してノートパソコン１−１への給電元バッテリーとして選択する機能を有する。
治具５−１は、バッテリー選択手段５−１ａによりノートパソコン１−１への給電元バッテリーとして補助バッテリーＢａが選択されたことをノートパソコン１−１に通知する通知手段５−１ｂを備える。バッテリー選択手段５−１ａとしては公知の技術で構成される。
例えば、補助バッテリーＢａの満充電時の電圧が外付けバッテリー６−１の満充電時の電圧よりも低くなるようにしておくと、上述のダイオードＯＲ回路により、補助バッテリーＢａと外付けバッテリー６−１のうち、電圧の高いものがノートパソコン１−１への給電元バッテリーとなるため、ダイオードＯＲ回路は、補助バッテリーＢａよりもバッテリー本体Ｂｅを優先して選択するバッテリー選択回路５−１ａとして機能する。
また、治具５−１に制御マイコンを内蔵し、バッテリー本体Ｂｅの残容量を定期的にチェックするようにして、残容量が所定値を下回ったことを検出すると、スイッチによって供給元バッテリーを切り替えるようにしてもよい。バッテリー本体Ｂｅの残容量の検出は、治具５−１の制御マイコンとバッテリー本体Ｂｅの内蔵する制御マイコンとが通信するなどの公知の技術によって可能である。
外付けバッテリー６−１は、バッテリー本体ＢｅとコネクタＣ２とを筐体内に有する。
尚、ノートパソコン１−１は、上述した上述した構成に限定されるものではなく、モデムや地上デジタルチューナを有しても良く、ＨＤＤの代わりにＳＳＤ（Solid State Drive）を用いてもよい。また、後述するノートパソコン１−２、１−３についてもブロック図は同様のため、説明を省略する。
【００１４】
ＨＤＤ１０６は、制御プログラムを格納しており、メモリとしての機能を有する。
制御部１０７は、ノートパソコン１−１を統括制御する機能を有し、例えば、マイクロプロセッサのＣＰＵ（Central Processing Unit：中央演算処理装置）を含む回路である。制御部１０７は、ソフトウェアとして入力制御手段１０７ａ、判断手段１０７ｂ、ディスク制御手段１０７ｃ、メッセージ表示手段１０７ｄを有する。
【００１５】
入力制御手段１０７ａは、キーボード１０１、マウス１０２、カメラ１０３、及び光学読取装置１０５からのデータを管理する。
判断手段１０７ｂは、外付けバッテリーが取り外されたか否か、バッテリー内蔵治具としての治具が取り外されたか否かを判断する。
ディスク制御手段１０７ｃは、光学読取装置１０５に挿入された光学媒体の種類を判別し、文字データ、画像データ、音声データの読み出しの管理を行う。
メッセージ表示手段１０７ｄは、バッテリー選択手段５−１ａによって給電元バッテリーとして補助バッテリーＢａが選択されたことを治具５−１から通知されると、補助バッテリーＢａで動作していることを通知するメッセージを表示部としての表示装置１０４に表示させる機能を有する。
【００１６】
I／Ｏ１１０は、ノートパソコン１−１と、図には示されないＵＳＢ（Universal Serial Bus）フラッシュメモリを含む外部のデバイスとのデータの授受を管理する。
ノートパソコン１−１は、バッテリー収納部４−１に取り付けられる治具５−１が備える補助バッテリーＢａまたは治具５−１に取り付けされる外付けバッテリー６−１のバッテリー本体Ｂｅのうち、治具５−１が備えるバッテリー選択手段５−１ａによって給電元として選択されたものより給電されて動作する携帯型情報処理装置である。
【００１７】
＜動  作＞
図３は、図１（ａ）〜（ｅ）に示したノートパソコン１−１の動作を説明するためのフローチャートの一例である。図４〜図７は、ノートパソコン１−１のバッテリー交換の様子を示す説明図である。治具を５−１とし、充電済みのバッテリーを６−１ａとし、充電前のバッテリーを６−１ｂとする。
【００１８】
動作の主体は制御部１０７である。
まず、初期状態として、治具（図ではバッテリー内蔵治具）５−１とバッテリー（図では外付けバッテリー）６−１ｂがノートパソコン１−１の本体部２に装着されている。例えば、ユーザーが外出先でノートパソコン１−１をバッテリー給電で作業中にバッテリーの充電量が少なくなっても作業を継続したい場合を想定する。この場合、ノートパソコン１−１を作動させながら、充電済みのバッテリー６−１ａに交換するものとする（ステップＳ１：図３）。
制御部１０７は、選択手段により治具５−１の補助バッテリーよりもバッテリー６−１ｂを選択的に本体部２に給電させ。本体部２へのバッテリー６−１ｂを選択的に給電する（選択給電）する方法としては、例えば、ダイオードを用いて切り替えてもよく、治具５−１の補助バッテリーの電圧とバッテリー６−１ｂの電圧を計測して得られた結果に基づいてリレーにより切り替えて給電してもよい（ステップＳ２：図３）
制御部１０７は、バッテリー６−１ｂの電圧が所定の値まで低下すると、本体部２への給電を治具５−１の補助バッテリーに切り替える（ステップＳ３：図３）。
制御部１０７は、本体部２への給電がバッテリー６−１ｂから治具５−１の補助バッテリーに切り替わると、表示装置１０４に給電が補助バッテリーに切り替わった旨のメッセージ（例えば、「電源が外付けバッテリーから補助バッテリーに切り替わりました。速やかに外付けバッテリーに交換して下さい。」）が表示される（ステップＳ５：図３）。
表示装置１０４のメッセージを見たユーザーは、充電済みのバッテリー６−１ａを準備する。ノートパソコン１−１の設定を、蓋部３を閉じても電源がオフにならない状態、すなわち、スタンバイモード、スリープモード、もしくはアクティブモードの状態に設定にしておく。図では蓋部３を閉じているが閉じなくてもよい（図４）。
【００１９】
ノートパソコン１−１から充電前のバッテリー６−１ｂのみ治具５−１から取り外し、バッテリー６−１をノートパソコン１−１の本体部２のバッテリー収納部４−１に治具５−１を介して装着する（図７）。
治具５−１が取り外されない場合（ステップＳ６／Ｎｏ：図３）には治具５−１の補助バッテリーからノートパソコン１−１に給電されるが、治具５−１が取り外された場合（ステップＳ６／Ｙｅｓ：図３）、電源がノートパソコン１−１には給電されなくなるので終了する（ステップＳ６：図３）。
【００２０】
制御部１０７は、治具５−１が取り外されていない場合（ステップＳ６／Ｎｏ：図３）、バッテリー（図では外付けバッテリー）６−１ｂがバッテリー６−１ａと交換されたか否かを判断する（ステップＳ７：図３）。バッテリー（外付けバッテリー）６−１ｂがバッテリー６−１ａと交換された場合（ステップＳ７／Ｙｅｓ：図３、図５、図６）、バッテリー６−１ａから電源が供給される（ステップＳ８：図３）。バッテリー（外付けバッテリー）６−１ｂがバッテリー６−１ａと交換されない場合（ステップＳ７／Ｎｏ：図３）、治具（バッテリー内蔵治具）５−１に内蔵された補助バッテリー（図示せず）から電源が供給される（ステップＳ９：図３）。
【００２１】
［実施形態２］
実施形態２について説明する。
実施形態２の実施形態１との相違点は、ノートパソコン１−１にバッテリー装着前の状態で治具もしくはバッテリーを装着する点である。
【００２２】
図８は、バッテリーが装着前のノートパソコンに治具もしくはバッテリーを装着する場合の動作を説明するためのフローチャートの一例である。図９〜図１２は、バッテリーが装着前のノートパソコン１−１に治具及びバッテリーを装着する場合の説明図である。
【００２３】
動作の主体は制御部１０７である。
まず、初期状態としてバッテリー（外付けバッテリー）６−１が接続されていないものとする（ステップＳ１１：図８）。例えば、外出先で使用するため、充電済みの治具５−１及びバッテリー６−１ｃを準備する（図９）。
ユーザーが治具５−１を持ち、ノートパソコン１−１の本体部２のバッテリー収納部４−１に装着する（図１０）。
治具５−１が取り外されない場合（ステップＳ１２／Ｎｏ）には治具５−１からノートパソコン１−１に給電されるが、治具５−１が取り外された場合（ステップＳ１２／Ｙｅｓ）、電源がノートパソコン１−１に給電されなくなるので終了する（ステップＳ１５）。
ノートパソコン１−１への治具５−１が装着された場合（ステップＳ１２／Ｙｅｓ）、バッテリー（外付けバッテリー）６−１ｃが装着されたか否かを判断する（ステップＳ１４）。
ユーザーがバッテリー（外付けバッテリー）６−１ｃをノートパソコン１−１に装着していない場合（ステップＳ１４／Ｎｏ）、治具５−１に内蔵された補助バッテリー（図示せず）からノートパソコン１−１に電源が供給される（ステップＳ１５）。
ユーザーがバッテリー（外付けバッテリー）６−１ｃをノートパソコン１−１のバッテリー収納部４−１の治具５−１と本体部２との間に装着させると（図１１、１２）、バッテリー（外付けバッテリー）６−１ｃからノートパソコン１−１に電源が供給される（ステップＳ１６）。
【００２４】
［変形例１］
変形例１について説明する。
図１３（ａ）は、携帯型情報処理装置の変形例を示す底面図であり、図１３（ｂ）は、図１３（ａ）のバッテリー及び治具の拡大図である。図１３（ｃ）は、携帯型情報処理装置の他の変形例を示す底面図であり、図１３（ｄ）は、図１３（ｃ）のバッテリー及び治具の拡大図である。
【００２５】
変形例１の実施形態１との相違点は、バッテリー収納部４−２、治具５−２及びバッテリー６−２の形状が異なる点である。
すなわち、ノートパソコン１−２のバッテリー収納部４−２と、バッテリー６−２との間の隙間を埋める形状の治具５−２を用いることで、後述する変形例２に示すようなバッテリー収納部の形状が異なるノートパソコン１−３用のバッテリーと同一形状のバッテリー６−２を共有することができる。治具５−２は、治具５−１と同様にバッテリー及び逆流防止用のダイオードが内蔵され、図示しないコネクタや爪を有する。
【００２６】
［変形例２］
変形例２について説明する。
変形例２の実施形態１との相違点は、バッテリー収納部４−３、治具５−３、及びバッテリー６−２の形状が異なる点である。
すなわち、ノートパソコン１−３のバッテリー収納部４−３と、バッテリー６−２との間の隙間を埋める形状の治具５−３を用いることで、前述した変形例１に示すバッテリー６−２と同一形状のバッテリー６−２を共有することができる。治具５−３は、治具５−１と同様にバッテリー及び逆流防止用のダイオードが内蔵され、図示しないコネクタや爪を有する。
【００２７】
＜プログラム＞
以上で説明した本発明にかかる情報処理装置の機能は、コンピュータで処理を実行させるプログラムによって実現されている。コンピュータとしては、例えばパーソナルコンピュータやワークステーション等の汎用的なものが挙げられるが、本発明はこれに限定されるものではない。よって、一例として、プログラムにより本発明を実現する場合の説明を以下で行う。
【００２８】
例えば、
バッテリー収納部に取り付けられる治具が備える補助バッテリーまたは治具に取り付けされる外付けバッテリーのうち、治具が備えるバッテリー選択手段によって給電元として選択されたものより給電されて動作する携帯型情報処理装置を制御するプログラムであって、
実質的なコンピュータに、
表示部が、メッセージを表示する手順、
メッセージ表示手段が、バッテリー選択手段によって給電元バッテリーとして補助バッテリーが選択されたことを治具から通知されると、補助バッテリーで動作していることを通知するメッセージを表示部に表示させる手順、
を実行させるプログラムが挙げられる。
【００２９】
これにより、プログラムが実行可能なコンピュータ環境さえあれば、どこにおいても本発明にかかる情報処理装置を実現することができる。
【００３０】
＜記憶媒体＞
このようなプログラムは、コンピュータに読み取り可能な記憶媒体に記憶されていてもよい。
記憶媒体には、ＣＤ−ＲＯＭ（Compact Disc Read Only Memory）、フレキシブルディスク（ＦＤ）、ＣＤ−Ｒ（CD Recordable）等のコンピュータ読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤが挙げられる。
【００３１】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３２】
１−１、１−２、１−３    ノートパソコン
２    本体部
３    蓋部
４−１    バッテリー収納部
５−１    治具
５−１ａ    バッテリー選択手段
５−１ｂ    通知手段
６−１、６−２、６−３    バッテリー（外付けバッテリー）
１０１    キーボード
１０２    マウス
１０３    カメラ
１０４    表示装置
１０５    光学読取装置
１０６    ＨＤＤ
１０７    制御部
１０７ａ    入力判断手段
１０７ｂ    判断手段
１０７ｃ    ディスク制御手段
１０７ｄ    メッセージ表示手段
１１０    Ｉ／Ｏ
１１１    バスライン
Ｂａ、Ｂｅ    バッテリー本体
Ｃ１ａ、Ｃ１ｂ、Ｃ２ａ、Ｃ２ｂ    コネクタ
【図１】
2014123241.tif 000003
【図２】
2014123241.tif 000004
【図３】
2014123241.tif 000005
【図４】
2014123241.tif 000006
【図５】
2014123241.tif 000007
【図６】
2014123241.tif 000008
【図７】
2014123241.tif 000009
【図８】
2014123241.tif 000010
【図９】
2014123241.tif 000011
【図１０】
2014123241.tif 000012
【図１１】
2014123241.tif 000013
【図１２】
2014123241.tif 000014
【図１３】
2014123241.tif 000015